(57)【要約】      （修正有）【課題】  元気がでて、健康増大体質に普段から改質して、病気にならない体を確立し、格好良い体にして、快適な生活ができ、安い電気代と、安いメンテナンス費用で済ます全装備エヤコンを提供する。【解決手段】  空気の流れを対流式にし、エヤコン本体の中に１）防火設備、２）気体殺菌設備、３）電気掃除桟フイルターから抜けて出るような微粉まで除去し清淨気体を部屋内に満喫可能な、水フイルター、４）消臭、負イオン気体への変換、５）温度、温度制御、５）照明、７）取付、メンテの容易化自動化、８）電気代の省エネ、９）低価格容易設計手段をとったエヤコン。森林浴と同じ森の気気分も味える。【選択図】図１
2007322118.tif 000002
【特許請求の範囲】
【請求項１】
気体を天井から床に向かって直線で降下させ、対流式に
2007322118.tif 000004
込ませる循環・対流式流れをさせるエヤコンで、中に汲込側フアンと中央吸出しフアンの２桟を備え、室内の天井付近、床面、及びその他の全ての場所に於ける気体の均一性を向上させ、例えば温度は天地略同一状態を可能とし、今迄設けなかった防火設備を搭載し、高令者、子供達の火事発生を防ぎ、今迄のフイルターでは困難であった抗生物質耐性菌、カビ菌、病原性ウイルス等、各種の病原細菌その他多細菌を死滅させ、さらに、電気掃除桟からでる超微粉、アスベスト粉、花粉及びその他の粉塵も水没させる強酸性電解水、オゾン水、及びその他の殺菌水を、雨ノズル付の水フイルターから大量の雨を降らし、運ばれてきた有毒気体を潜り抜けさせ、水との接触面積を増大し、殺菌力を向上し、粉塵を水中に埋没させ、病気にかからない清淨空気を常に本体から送りだすことのため、水の汚れセンサー（超音波、又は光）と、自動的水交換付きとした他、さらに電解水の場合に限り同時製造される強アルカリイオン水は、水容器、チューブ内などの清淨用としてタイマーにて自動流出などに使う。次に温湿度制御を電子ペルチエ等と遠赤外線ヒーター等で受咸部を壁側の低い位置にスイツチと共に置き、シリカゲル温度調整と油煙、タバコ、化粧臭等の消臭剤及び光触媒チタン、ゲルマニウム、トリウム等粒による負イオン森林浴気体にするための粒室を通り抜け、心地良く動物の体を守り、仕事の効率をあげる他、本体の下部外周に蛍光灯照明を設け、グロ対比４８％省エネインバーを搭載し、電気代を下げる他、本体の取付けを子供でもでき、メンナンスも簡単にした。それは、とめ金付取付板をつけ差し込み回し式とし、ランプカバーも、
2007322118.tif 000005
【請求項２】
電解水による殺菌、粉塵除去方式請求項１の雨くぐり抜けでははく、図３の通り下からシヤワーしぶきを吹きあげ、その中を悪気体のくぐり抜けによる効果をはかるもので、床面の雜な場所、即ち、にわとり、豚等の蓄産業動物の殺菌向上をはかり、元気な動物を得る請求項１のエヤコン。
【請求項３】
ばら、カーネーシヨン、菊、及び密蜂用花。もも、ぶどう、及びメロン等の果実。野菜、キノコ等農業用ハウスは、殺菌、粉塵除去よりも、天井よりも土温を高くし、湿度も多制御し、間歇的に強い風対流を与えることで増根、増株、強茎、の結果、増収穫効果を生むため、フイルターを水でなく、紙、樹脂にし、蛍光灯照明を太陽光近似ＬＥＤ球にする、等、特殊光にした請求項１の農業用エヤコン。強力殺菌力の必要な事になると、図１、又は、図３とし野菜の洗淨用、育成用には強アルカリ水を使用する主として植物栽培用に使用するエアコン。
【発明の詳細な説明】
【技術分野】
【０００１】  本発明は、電車、バス、航空桟などの乗物、病院、工場、ビルオフイス、ホテル、店舗、マンシヨン、住宅など全てと、農業用及び動物飼育畜産用に適す。【０００２】  従来のエヤコンには、全装備付き省エネ、エヤコンはない。【０００３】  従来のエヤコンで、天井と床土面温度差０近いものは無い。ペットと同居、蓄産用等では、天井よりも土面の温度を高くすることができるものが良い。他に、精密桟械工場などにも必要である。最近温度分布改良タイプがあるが図５に示す通り、２８℃設定の従来型エヤコンの天井と足元付近の温度差は、約１３℃もあった。【０００４】  さらに、従来のエヤコンには、火災予防、省エネ照明、電子式温調、温調、高殺菌水フイルター、微粉ホコリフイルター、アスベスト等針状微粉フイルター、電気掃除桟及びエヤクリーナフイルターより発散する塵ゴミ、菌の除去可能フイルター、フイルター掃除自動桟能ロボットを不要とする構成、又、センサー、フイルター容器の自動洗淨による長期メンテ不要、脱臭桟、ヂーゼル粉塵取桟、ウイルスカビ菌柳制桟、除菌イオン桟、酸素エヤーチヤージヤー、及び加湿桟など多くのものをエヤコン以外の別置き又は別桟とした装置の桟能を高め、エヤコン本体の中に搭載。
出願中の関連特許ＮＯ  ＰＣＴ／ＪＰ２００４／０１５３４９
【発明の開示】
【発明が解決しようとする課題】
【０００５】  以上に述べた従来のエヤコンでは、気体流れ不良空間があり、全装備でない、ため、高価な取付費を含む高価な別桟を置く必要がある。又、電気掃除桟、エヤクリーナのようにフイルターからでてくる菌、ホコリ等が室内に浮遊する従来のエヤコンフイルターと同じでないフイルターの発明が用途別に必要となった。【０００６】  本発明は、このような従来の構成が有していた問題を解決しようとするものであり、まず人類が清淨空気と癒やし効果で元気がでるように、対流による完全殺菌とホコリとりの可能な水フイルターにし、次に動物が病気にかからない簡単構成水フイルター、床温上昇タイプにし、そして、主として植物ハウス用に水以外の容易フイルターにし、対流気体の流速を自然風と同じ１０秒吹き４秒とめる間歇フアン運動にして低メンテナンス構成で多収穫を可能にし、晝夜稼働した。
【課題を解決するための手段】
【０００７】  本発明のエヤコンは、器具本体の中に全てを固定し、本体中央から気体を降下させ、対流で天井に戻ってくる構造にし、中央からでた気体は、１０〜３０秒で１巡する。そして先に奥天井等に取り付けた取付板に、差し込み回しとめ式に全本体をとめるタイプの他、次を搭載する。【０００８】１）、上部に火災報知器、散水ノズルなどを固定し、火災予防する。
２）、下部外周に、照明装置を搭載し、蛍光灯の場合は、本発明の４８％省エネ、インバーター電子安定器を装着する。（グローマスターをやめる）
３）温度調整には、電子式ペルチエ応用方式その他と、遠赤外線ヒーター等を使用。
４）湿度調整には、シリカゲル粒、光触媒粒を使用し、除加湿自動調整。
５）気体中の病原菌殺菌には、オゾン水、強酸性水、その他殺菌水の中をくぐり抜ける際に死滅させ、強菌は数回の気体循環で殺す。約１５秒／回
６）電気掃除桟フイルターより通り抜けた微粉、アルベスト粉、花粉その他の塵は、水の中をくぐり抜けるとき、水の中に落とす。そしてヘドロ化した水交換は、センサーで検知し自動交換する。
７）電解水の製造は、本体内、又は別場所で造りポンプで送水するが、同時製造となる水は洗淨に使用。
８）洗淨化された気体は、脱臭室（油煙、タバコ、化粧、及び体臭などの全ての悪臭を除去できる）をくぐり抜け、さらにトルマリン、ゲルマニウムトリウム、酸化チタン及びその他等の負イオン室をくぐり抜け、快適な気体にする。それは、まさに森林浴と同じ癒やし効果。
９）ロボット等、外注メンテナンスコスト低減で自分で安くできる部品交換可能な、構造設計にする。
１０）寝室に於いて、朝の心地よいねざめにするため、フアンをＤＣにて２ケ使用し、速度も２〜３段切替えにし、靜けさを保つ。
１１）農業用の場合は、強力フアンを間歇的に回し、自然風と近似にし、夜の成育もできるよう、光、温度を制御する。
１２）洗淨水として、強アルカリ水を必要とする本エヤコンの用途に対し、殺菌水は、電解水を選定し、建物の１ケ所の上部に強酸性水及び強アルカリイオン水タンクを設け、落差利用で各エヤコンに供給。
１３）森林浴空気を造るための負イオン値は、３００個／ｃｃ以上にし、癒ヤし効果を継続させる。
１４）本発明のエヤコン取付けは、建物の上部に、取付板及びそこ迄の電気及び配管を専門部門にしてもらい、照明付本体は、各自で取付可能構造にする他、メンテナンスも各自可能とし、手許スイツチで制御も可能タイプとする。
【発明の効果】
【０００９】  図１は、建物の天井（４）に、火災報知器（１）、消火散水ノズル（２）、電気接点（３）、エヤコン本体回しとめ金（５）、水出入れホース（３３）付き三方ソレノイドバルブ（３８）付き、水交換ポンプ（１４）等を取付けた固定板（３１）を接合固定。【００１０】  本体下部外周に蛍光灯丸管ランプ（１９）付き、省エネ安定器インバーター（１８）を設け（グローマスター対比４８％省エネインバーターは、私共の発明のもの出願ＮＯ．ＰＣＴ／ＪＰ２００４／０１５３４９）電気代を下げながら明るく、ランプ交換の容易性のため、カバークリツプ（２５）によるカバーとめ方式にした故、１灯１５秒以内で可能。【００１１】  照明カバー（１７）の上部テーパー状の、樹脂粗フイルター（１５）を、ホータイ止め（２９）にて固定し、その中に、強酸性水フイルターをのせるが、それは、水殺菌兼塵とりフイルターケース（１０）の底から、ポンプを汲み上げられた殺菌水を上部の多数（１６ケ以上）ガイドノズル（１２）から大量の雨を降らせ、なおかつ、水切り羽（１１）２枚で雨を分断し雨の隙間を小にして上昇フアン（３９）の力で上昇させる気体を雨の中を、くぐり抜け易くし、気体中に含まれる多くの病原菌などを死滅させ、アルベスト、花粉その他の微粉を水中に埋没する。特に、綿ゴミ、カーボン粉、ダニ粉、毛、及び電気掃除器からフイルターをくぐり抜けてでる塵は、全て水没するため、清淨空気となる。そして水没された少しの菌及び多くの塵で水のヘドロ化が進行し、汚れ度合いを水ヘドロセンサー（３７）で自動検知し、３方ソレノイドバルブ（３８）の自動作動により、新水と自動交換する。又、油煙、タバコ煙その他油などの汚れが水ケース、ホース内などに付着するため、電解水で得る強アルカリ水を間歇流水をタイマー自動とし、動物の体内に入る気体を常に無菌、無塵にし、今迄、紙フイルターなどで不可能に近いものであった事を可能とする他、室内清掃時間を短縮できた。それは、床、横壁、天井などに付着したホコリなどがすべて対流効果で天井本体水フイルターに集まり、水フイルターのため今迄の１般フイルターをくぐり抜けるものがなくなったことによる。また、センサーの作動にもその効果をあげ得た。そして水フイルターによる温度上昇は、冬の女性肌を守ることは良いが夏の除湿対策として次に示す制御方式とした。【００１２】  上昇気体は、冷暖装置としての電子ペツチエ及び遠赤外ヒーター（９）を通り温調され、シリカゲル湿調室、さらに、カーボン、酸化チタンの脱臭粒室を経て、トリウム、紙粒コーテングの負イオン交換室（２４）をくぐり抜け、仕切板（２１）のある円筒ノズル（２２）から降下する。天井高さ、室の広さ等により、フアン（８）の速度他調整する。本タイプは、主として人類用エヤコンの用途として殺菌力を強くしたため、種々菌の中で数秒以下で死滅可能菌と１０秒以上を必要とするものは、対流１巡約１５秒で数回のくぐり抜けで死滅可能とした。さらに負イオン値は、３００ケ／ｃｃ以上達成可能量としたので、勉強、仕事中の人の頭は、常に冴え、過酸素気体の関係で癒やし効果も大。また寝室では、フアン速度切替えにより、心地良い眠りと、心地良い朝の目覚めを得、格好良く元気をだして仕事���できる。
又、火災には手許スイツチ、及び自動で対処でき、水フイルターとしての電解水交換も、センサーによる自動と手許スイツチの双方で可となりメンテンス費が、０に近い上に電気代も低下したので人の集る場所の掃除も楽になった。【００１３】  図２は、天井から足元に降下する気体の流れが、対流により循環し、再び、照明上部の外周より戻ってきて、本発明の本体の中より再びでていく流れを矢印で示すもので、大きい部屋にエヤコン２台設置したもの。電気、水、スイツチも示す。【００１４】  図３は、水フイルターの構造を図１に比し変更し、水殺菌ケース（１０）内のシヤワー水ノズル（３６）を円周ノズル管（４０）に、上向きに多数設け、シヤワーを上に向かって吹き出し、外周網（４１）（４２）で、しぶきをとめながらそのシヤワーの中を気体が通り抜ける際に病原菌を殺菌し、かっ、ホコリを水中に埋没させる。水は強酸性水等図１と全く同じとし、雨をシヤワーにした以外は、全て図１と同じとした。本発明は、図１よりも殺菌力が約１５％低下するため、動物飼育及び畜産用エヤコンとし、土温上昇タイプを特長とする。【００１５】  図４は、水フイルターでなく、１般の紙、ゴム、樹脂の電気掃除器用フイルターの表面に、酸化チタン、イオン等処理除菌粗フイルター（１５）の内側に密フイルターの２枚を重ね、フイルターセンサー（３０）で目詰検知自動交換方式タイプ。
主として、農業ハウスの植物成育用として使用し、温調器具の上部に、温度調整室、脱臭室、及び負イオン室を置き、空気清淨化をする。夜の温度低下を防ぎ、植物反応照明にし、息つき風を与え、良植物を早く、（２０％ｕｐ）多く（１５〜３０％）、さらに植物育成能の高いアルカリ水の有効利用（電解式）で高付価商品生産に寄与する。【００１６】  図５は、従来エヤコンの、温度設定２８°Ｃに於ける天井付金と足元付近の温度差６個所測定値を示すもので、約１５°Ｃの差があることを示し、一大欠点であることが判明。【００１７】  図６は、本発明エヤコンの温度差を示す。２℃以下を達成。
これは、６畳間における数回の実験で得た数値で、さらにフアン力を増すと、床の温度を天井よりも高温にすることができるが、オフイス、住宅等では、机上の紙の散逸を考慮した結果２℃となった。しかし、農業用では、自然と同じような風の間歇吹き式で風速を４ｍにすると土温も高く、植物の株は増え、２０％以上の多収穫があった。
人用のエアコンでは、角型部屋と丸型部屋では対流が異るため、シャボン玉をとばし計数の上温度測定をした結果、気体の一巡速度は角型で２０〜２５秒、丸型では１５秒であった。中央の直下空気円筒径φ１２０、長さ２００Ｌの中に特殊な仕切板（２１）を設けたもので実験をした。一巡空気の短時間化と、フアン羽直径、回転数、３次元羽形状は重要な要素で、机上の計算と、研究成果が大きく異なるという結果を本発明エアコンにとり入れている。
一巡時間の短縮は単に温度のみでなく、フイルター効果をも左右させ得る。【００１８】  以上本発明の効果について説明の他、次の効果を生む。
１）高年令者の人類に向き、いつも元気な動物に向くエヤコン。
２）電気代を含め低コストエヤコン。
【産業上の利用可能性】
【００１９】  本発明のエヤコンは、電気、桟械、建設産業に関し次の使用に向く。
１）図１タイプは病院、診療所所等、病原菌の多い処、及び人の集まる乗物電車、バス、船、航空桟、待合室、さらに、コンビニ、フアミレスを含む食
2007322118.tif 000003
２）高令者介護所、幼児保育所、幼稚園、学校
３）オフイス、クリンルーム、工場、住宅、
４）動物園、畜産ハウス、
５）キノコ養殖を含む農業ハウス
【図面の簡単な説明】
【００２０】
【図１】本発明エヤコンの正面半断面図。
【図２】本発明エヤコン２基を天井取付時の空気の流れを示す正面図。
【図３】本発明水フイルターの構造を上向きシヤワ式にした部分半断面図。
【図４】本発明水フイルターをやめ、１般フイルターにいた部分半断面図。
【図５】従来エヤコン使用室の、天井と足元の温度差図表。
【図６】本発明のエヤコン使用室、天井と足元の温度差図表。
【符号の説明】
【００２１】  １．火災報知器                      ２．消火散水ノズル
３．電気接点                        ４．上天井取付枠
５．エヤコン本体回しとめ金          ６．仕切板
７．ＤＣインバーター（１２Ｖ）      ８．ＤＣフアン
９．冷却加熱電子温調器            １０．水殺菌ケース（水フイルター用）
１１．水切り羽                      １２．ガイドノズル
１３．フイルター水                  １４．水交換ポンプ
１５．粗フイルター                  １６．吊り天井
１７．ランプカバー                  １８．省エネインバータ安定器
１９．蛍光灯丸管                    ２０．歯車
２１．円筒内仕切板                  ２２．円筒ノズル
２３．イオンカバー                  ２４．負イオン交換室
２５．カバークリツプ                ２６．抗菌消毒剤粒
２７．湿度調整剤                    ２８．脱臭剤粒
２９．ホータイ止めフイルター        ３０．フイルターセンサー
３１．固定板                        ３２．湿調室
３３．水出入れホース                ３４．雨ノズル
３５．シヤワー透導具                ３６．シヤワー水ノズル
３７．水ヘドロセンサー              ３８．３方ソレノイドバルブ
３９．上昇フアン                    ４０．ノズル管
４１．外網                          ４２．内網
４３．仕切リング
【図１】
2007322118.tif 000006
【図２】
2007322118.tif 000007
【図３】
2007322118.tif 000008
【図４】
2007322118.tif 000009
【図５】
2007322118.tif 000010
【図６】
2007322118.tif 000011